(57)【要約】      （修正有）【課題】段ボールを使用して容易且つ安価に製作できると共に、所定の強度を容易に確保でき、しかも使用後には容易にリサイクルできるようにする段ボール製表示体を提供する。【解決手段】段ボール製のシート材１を使用する。シート材１は片面の表示部７，１０に所定表示８，１９が印刷されると共に、その所定表示８，１９と同じ片面の山折り線６，１１を含む領域に飾り表示９，２０をが印刷する。シート材１は山折り線６に沿って裏面側へと山折りした後、その折り返し部分を裏側で貼着して補強部４とする。【選択図】図１
0003171308.tif 000002
【実用新案登録請求の範囲】
【請求項１】
片面の表示部に所定表示が印刷されると共に該所定表示と同じ片面の山折り線を含む領域に飾り表示が付された段ボール製のシート材を前記山折り線に沿って裏面側へと山折りし、前記シート材の表面側と裏面側とを貼着して補強したことを特徴とする段ボール製表示体。
【請求項２】
１枚の前記シート材を山折り線で山折りして又は複数枚の前記シート材を組み合わせて構成され、且つ少なくとも外周の前面側の前記表示部に前記所定表示が付された周壁部を備え、該周壁部の内周面の開口端側の視認領域に前記所定表示の印刷時に印刷された飾り表示を配置したことを特徴とする請求項１に記載の段ボール製表示体。
【請求項３】
前面表示部と該前面表示部の左右幅の略中央から後方に延びる左右一対の側面表示部とを備え、前記前面表示部は前記シート材の左右方向の略中央に、前記各側面表示部は前記シート材の左右両側に夫々配置され、前記前面表示部と前記各側面表示部との間には、前記前面表示部との間で山折りされ且つ前記各側面表示部との間で谷折りされた折り返し部があり、該各折り返し部は前記前面表示部の裏面に貼着されていることを特徴とする請求項１に記載の段ボール製表示体。
【考案の詳細な説明】
【技術分野】
【０００１】
本考案は、スーパー、ホームセンター等の小売店での宣伝広告、商品案内、売り場案内の他、諸々の表示用として使用される段ボール製表示体に関するものである。。
【背景技術】
【０００２】
スーパー、ホームセンター等の小売店での宣伝広告、商品案内、売り場案内にはポップと称される各種の表示体が使用されている。この表示体には、プラスチック材をブロー成型等で成型したプラスチック製のものに代えて、レーザープリンタ、インクジェットプリンタ等により所定の表示が印刷された表示シートを使用し、これを山折り線又は谷折り線に沿って折り込んで立体化してプラスチック板等の支持板に装着したものが提案されている（特許文献１）。
【先行技術文献】
【特許文献】
【０００３】
【特許文献１】登録実用新案第３１４２４７３号公報
【考案の概要】
【考案が解決しようとする課題】
【０００４】
この表示体は、レーザープリンタ、インクジェットプリンタ等で使用された表示シートを使用するため、簡便に製作できる利点があり、少数の表示体を多種類製作する場合に非常に便利である。
【０００５】
しかし、この表示体は表示シートと、これを支持する支持板との二種類の材料が必要である上に、支持板にプラスチック板等が使用されているため、プラスチック製の表示体と同様、使用後の廃棄処理に問題がある。
【０００６】
本考案は、このような従来の問題点に鑑み、段ボールを使用して容易且つ安価に製作できると共に、所定の強度を容易に確保でき、しかも使用後には容易にリサイクルできる段ボール製表示体を提供することを目的とする。
【課題を解決するための手段】
【０００７】
本考案は、片面の表示部に所定表示が印刷されると共に該所定表示と同じ片面の山折り線を含む領域に飾り表示が付された段ボール製のシート材を前記山折り線に沿って裏面側へと山折りし、前記シート材の表面側と裏面側とを貼着して補強したものである。
【０００８】
１枚の前記シート材を山折り線で山折りして又は複数枚の前記シート材を組み合わせて構成され、且つ少なくとも外周の前面側の前記表示部に前記所定表示が付された周壁部を備え、該周壁部の内周面の開口端側の視認領域に前記所定表示の印刷時に印刷された飾り表示を配置してもよい。
【０００９】
前面表示部と該前面表示部の左右幅の略中央から後方に延びる左右一対の側面表示部とを備え、前記前面表示部は前記シート材の左右方向の略中央に、前記各側面表示部は前記シート材の左右両側に夫々配置され、前記前面表示部と前記各側面表示部との間には、前記前面表示部との間で山折りされ且つ前記各側面表示部との間で谷折りされた折り返し部があり、該各折り返し部は前記前面表示部の裏面に貼着してもよい。
【考案の効果】
【００１０】
本考案によれば、段ボールを使用して容易且つ安価に製作できると共に、所定の強度を容易に確保でき、しかも使用後には容易にリサイクルできる利点がある。
【図面の簡単な説明】
【００１１】
【図１】本考案の第１の実施形態を例示する表示体の一部破断斜視図である。
【図２】同要部の拡大平面図である。
【図３】同縦断面図である。
【図４】同第１シート材の展開図である。
【図５】同第２シート材の展開図である。
【図６】本考案の第２の実施形態を例示する表示体の斜視図である。
【図７】本考案の第３の実施形態を例示する表示体の斜視図である。
【図８】本考案の第４の実施形態を例示する表示体の一部破断斜視図である。
【図９】本考案の第５の実施形態を例示する表示体の斜視図である。
【図１０】同一部破断正面図である。
【図１１】同シート材の展開図である。
【図１２】同製作過程を示す斜視図である。
【図１３】同製作過程を示す斜視図である。
【図１４】本考案の第６の実施形態を例示する表示体等の斜視図である。
【図１５】同平面図である。
【図１６】同シート材の展開図である。
【図１７】同製作過程を示す斜視図である。
【考案を実施するための形態】
【００１２】
以下、本考案の各実施形態を図面に基づいて詳述する。図１〜図５は本考案の段ボール製表示体の第１の実施形態を例示する。この表示体Ａは陳列商品の近傍等に配置される商品案内用であって、図１〜図３に示すように、横長矩形状の平板状の第１シート材１と、平面視略Ｖ字状に屈曲され且つ左右両側で第１シート材１の前面に貼着された第２シート材２とを備えている。第１シート材１及び第２シート材２は、第１シート材１の左右方向の略中央に平面視三角形の筒状の周壁部３を備え、この周壁部３の下端を受け面上に載せたときに自立するように立体的に構成されている。
【００１３】
第１シート材１、第２シート材２には波状のインナー紙の両面にライナー紙が貼着された同一種類の両面段ボールが使用されている。なお、段ボールであれば、例えば第１シート材１を両面段ボールとし、第２シート材２を片面段ボールとしてもよい。また表示体Ａは、受け面上に起立させて使用するようにしてもよいし、第１シート材１の裏面を陳列棚の前面等に貼着して使用するようにしてもよい。
【００１４】
第１シート材１は下辺側の裏面に左右方向に略全長にわたって帯状の補強部４が設けられている。この補強部４は図３に示すように第１シート材１の下辺側を左右方向の山折り線６に沿って裏側に山折りして、その折り返し部分を両面粘着テープ、粘着剤、接着剤等の貼着手段５により第１シート材１の裏面に貼着することにより構成されている。
【００１５】
第１シート材１の片面（前面）には、図４に示すように、第２シート材２の左右両側の表示部７に商標、商品説明等の所定表示（例えばＡＢＣ）８が印刷により付されると共に、周壁部３の内面側に対応する内面領域９ｂから、下辺の山折り線６を経て補強部４側に至る領域の略全面に、各表示部７の所定表示８と調和する飾り表示９が付されている。なお、第１シート材１の上端が第２シート材２よりも上側に突出する場合には、その第２シート材２から突出する領域を表示部７として所定表示８を付してもよい。
【００１６】
第２シート材２は左右の表示部１０間の山折り線１１で前側に突出するＶ字状に山折りされ、また左右両側には第１シート材１の前面に貼着された貼着部１２と、この貼着部１２の前面に貼着された補強部１３とが設けられている。貼着部１２、補強部１３は第１シート材１の一部を上下方向の山折り線１５，１６で山折りして形成され、その貼着部１２は第１シート材１の前面に両面粘着テープ、粘着剤、接着剤等の貼着手段１７を介して貼着され、また補強部１３は貼着部１２の前面に両面粘着テープ、粘着剤、接着剤等の貼着手段１８を介して貼着されている。
【００１７】
また第２シート材２の片面には、図５に示すように、各表示部１０に商品絵柄、商品説明等の所定表示（例えば対象商品がベビーサークルの場合にはベビーサークルの使用状態を示す絵柄等）１９が付されると共に、各山折り線１１，１５，１６を含む左右両側に、各表示部１０の所定表示１９と調和する飾り表示２０が付されている。
【００１８】
なお、この実施形態では、飾り表示９，２０には所定表示８，１９の背景色が使用されている。従って、各シート材１，２の前面の略全域は、所定表示８，１９の背景と同一色の印刷が施されている。しかし、第１シート材１の補強部４の飾り表示９は山折り線６側の近傍領域に、第２シート材２の貼着部１２の飾り表示２０は山折り線１５，１６側の近傍領域に夫々あれば十分である。
【００１９】
この表示体Ａを製作する場合には、段ボールの平板材を所定の寸法に裁断する。そして、第１シート材１の場合には、図４に示すように、その片面にレーザープリンタ、インクジェットプリンタ等により表示部７に所定表示８を印刷し、この印刷時に周壁部３の内面側に対応する内面領域９ｂ及び山折り線６を含む領域に飾り表示９を印刷する。次に第１シート材１に折り罫、ミシン目等の山折り線６を左右方向に入れた後、その山折り線６に沿って第１シート材１を山折りして補強部４を作る。
【００２０】
また第２シート材２の場合にも、図５に示すように、その片面側にレーザープリンタ、インクジェットプリンタ等により表示部１０に所定表示１９を印刷し、この印刷時に山折り線１５，１６を含む領域に飾り表示２０を印刷する。次に第２シート材２の所定箇所に折り罫、ミシン目等の山折り線１１，１５，１６を上下方向に入れた後、中央の山折り線１１に沿って第２シート材２をＶ字状に山折りし、また左右両側を山折り線１５，１６に沿って第２シート材２を山折りして貼着部１２、補強部１３を作る。そして、第２シート材２の各貼着部１２を貼着手段１７を介して第１シート材１の前面に貼着し、第１シート材１の中央部分と第２シート材２とにより三角形状の周壁部３を形成すればよい。
【００２１】
このような構成の表示体Ａは、所定表示８，１９、飾り表示９，２０が付された段ボールの平板材を第１シート材１、第２シート材２に使用しているため、異なる種類のシート材を準備する煩わしさがなく容易且つ安価に製作でき、しかも段ボール製であるため使用後の表示体Ａのリサイクルが容易であり、従来のプラスチック製のものに比較して環境問題等の発生を未然に防止できる。
【００２２】
また各シート材１，２は山折り線６，１６に沿って山折りして貼着した補強部４，１３を備えているので、特別な補強構造等が不要であり、段ボールの平板材を使用しながらも所定の強度を容易に確保できる。特に第１シート材１の補強部４は下辺側にあり、第２シート材２の補強部１３は第１シート材１の上下方向にあるので、これらの補強部４，１３により表示体Ａ全体を強固に補強することができる。
【００２３】
しかも各シート材１，２は段ボールの平板材を所定寸法に裁断した後に山折り線６，１１，１５，１６を入れて山折りしているが、各シート材１，２には所定表示８，１９の印刷時に印刷された飾り表示９，２０が山折り線６，１５，１６を含む領域にあるため、印刷箇所、山折り線６，１５，１６に多少のズレがあっても問題となることはない。従って、表示体Ａを容易に製作できる。
【００２４】
更にシート材１，２を組み合わせて構成された周壁部３を有する立体的構造とする一方、その周壁部３の内周面の内、その上端開口側の前面側の内面領域９ｂに飾り表示９を付しているので、表示体Ａ自体の見栄えを非常に良好にできる利点がある。即ち、表示体Ａは各シート材１，２の左右の各表示部７，１０に付された所定表示８，１９により消費者等の看者に対して好印象を与えるべく工夫されているが、周壁部３の開口端側の内周面は段ボールの素材のままで放置するのが通例である。このため陳列棚その他の箇所に配置された表示体Ａを前上方から見た場合に、周壁部３の開口端側の内周面の前向き部分の見栄えが悪く、表示部７に付された対象商品についての所定表示８の表示効果が低下する惧れがある。
【００２５】
しかし、この表示体Ａでは、周壁部３の前向きの内周面には第１シート材１の内面領域９ｂの飾り表示９と、第２シート材２の補強部１３の飾り表示２０とがあり、図１、図３に示すように消費者が前上側から見たときにその視認領域９ａの飾り表示９，２０が視野に入るため、表示体Ａ全体の見栄えが良好になり、表示部７に付された所定表示８の表示効果の低下を防止することができる。
【００２６】
なお、飾り表示９，２０は各表示部７の所定表示８の背景色と同一又は近似する色、地模様と同一又は近似する模様、それらの組み合わせ等でもよいし、これら以外のものでもよい。また第１シート材１の中央部分の飾り表示９は、前上方から見たときに第２シート材２の上端を越えて看者の視野に入る少なくとも視認領域９ａにあればよい。また補強部４，１３側の飾り表示９，２０は、少なくとも山折り線６，１５，１６の近傍側にあれば十分である。
【００２７】
図６は本考案の段ボール製表示体の第２の実施形態を例示する。この表示体Ａは第１シート材１の左右方向の一端側に平面視Ｖ字状の第２シート材２が装着されている。第１シート材１は下辺の山折り線６で二つ折り状となっており、前面の表示部７と略同一面積の補強部４が裏面側に設けられている。他の構成は第１の実施形態と同様である。
【００２８】
このように第１シート材１を二つ折りした後に前後に貼着してもよい。この場合には、補強部４の面積が大になるため、第１シート材１の強度が一段と向上する。また横長状の第１シート材１の場合、第２シート材２は左右方向の略中央に設ける他、この実施形態のように左右方向の一端側に設けてもよい。
【００２９】
なお、補強部４の裏面を表示部７として利用し、この補強部４の裏面に所定表示８を付してもよい。この表示体Ａは前後両面に表示部７があり、その各表示部７に所定表示８を付しているため、前後両側から視認可能な箇所に配置する場合に便利である。
【００３０】
図７は本考案の段ボール製表示体の第３の実施形態を例示する。この実施形態の第２シート材２は、前側へと円弧状に湾曲している。そして、第２シート材２には、波形紙が前面となる片面段ボールが使用され、その波形紙の表面に所定表示８が付されている。他の構成は第１の実施形態と同様である。
【００３１】
このように第２シート材２に波形紙が前面となる片面段ボールを使用して湾曲状に形成してもよい。また波形紙が前面となる片面段ボールを使用し、その前面側に所定表示８を印刷することにより、表裏両面が平滑な両面段ボールを使用する場合に比較して所定表示８に立体感をもたせることができる。
【００３２】
図８は本考案の段ボール製表示体の第４の実施形態を例示する。この表示体Ａは第１シート材１と、この第１シート材１の前面に左右方向の中央部で左右に当接して装着され且つ第１シート材１との間で略直角三角形の周壁部３を構成する左右一対の第２シート材２とを備え、第１シート材１の裏面側を陳列棚の上部前面に装着する等して使用される。
【００３３】
この表示体Ａは、第１シート材１の前側に直角三角形状の周壁部３を背中合わせ状に左右二つ備えた立体構造になっており、その各周壁部３の内周面の下開口端側には、前下側から見たときに見える視認領域９ａに飾り表示９，２０が付されている。
【００３４】
第１シート材１は下辺の山折り線６を介して裏側に山折りされた補強部４を有し、その片面には山折り線６を挟んで第１シート材１の前面下部と補強部４の裏面とに跨がって飾り表示９が付されている。なお、第１シート材１の前面側の飾り表示９は、少なくとも表示体Ａを前下側から見たときに見える視認領域９ａにあればよい。
【００３５】
左右の第２シート材２は、下辺側に左右方向の山折り線２５を介して設けられた所定幅の補強部１３と、縦方向の山折り線２１を挟んで前面壁２２及び当接壁２３とを備え、その前面壁２２及び当接壁２３の山折り線２１と反対側に、第１シート材１に貼着された貼着部２４が設けられている。左右の第２シート材２の当接壁２３は適当箇所で両面粘着テープ、粘着材、接着剤等の貼着手段により貼着されている。
【００３６】
第２シート材２の片面には、前面の表示部１０の所定表示１９と、前面壁２２及び当接壁２３から山折り線２５を経て補強部１３を含む領域にわたる飾り表示２０とが付されている。補強部１３は表示体Ａを前下側から見たときに周壁部３内の下開口端側の視認領域９ａに対応する上下幅を有する。
【００３７】
このように表示体Ａは、左右一対の第２シート材２を裏側の第１シート材１で支持する構造として、第２シート材２の前面壁２２の表示部１０に所定表示１９を付すようにしてもよい。この場合には、左右の前面壁２２に表示部１０があるため、左右方向の両側から各表示部１０の所定表示１９を確認できる利点がある。
【００３８】
また第２シート材２には補強部１３がある上に、左右の第２シート材２の当接壁２３を互いに貼着しているため、第２シート材２の前面壁２２が左右方向に長くなり、また当接壁２３が前後方向に長くなった場合でも、表示体Ａ全体の強度を容易且つ十分に確保できる。更に各シート材１，２により構成される周壁部３の内面の下開口端側には、下前側からの視認領域９ａに対応して飾り表示９，２０が付されているため、表示体Ａの見栄えも良好にできる。
【００３９】
なお、第１シート材１の補強部４は、上辺側に設けてもよい。その場合には、上辺の山折り線６で第１シート材１を山折りして補強部４を構成するが、山折り線６を含む領域に飾り表示９を設ける必要はない。
【００４０】
図９〜図１３は本考案の第５の実施形態を例示する。この表示体Ａは図９、図１０に示すように、１枚のシート材２６を上下の左右方向の山折り線２７，２８で山折りし、周方向の一端側の貼着部３１を他端側の内面に貼着して三角形の筒状に構成したものである。シート材２６は山折り線２７に沿って内側に山折りされた上補強部２９と、山折り線２８に沿って内側に山折りされた下補強部３０とが夫々周方向に帯状に設けられている。なお、この表示体Ａはそれ自体で周壁部３を構成している。
【００４１】
シート材２６の片面には、三面の表示部７に所定表示８が付され、また所定表示８を除く略全面に飾り表示９が付されている。シート材２６の貼着部３１と反対側の隅部は、図１２に示すように山折り線６から下側の補強部４に対応する部分、山折り線６から上側の補強部４に対応する部分を切り欠いてもよい。
【００４２】
この表示体Ａの製作に際しては、図１１に示すようにシート材２６の片面に所定表示８、飾り表示９を印刷する。次にシート材２６に図１２に示すように左右方向の山折り線６、上下方向の山折り線３２〜３４を夫々入れる。また図１２に示すようにシート材２６の裏面の各補強部２９，３０に対応する箇所に両面粘着テープ等の貼着手段３５，３６を配置し、また貼着部３１に対応する箇所に両面粘着テープ等の貼着手段３７を配置する。
【００４３】
そして、図１３に示すようにシート材２６の上下の各山折り線２７，２８で補強部２９，３０を裏側に山折りして貼着手段３５，３６により貼着し、続いて各山折り線３２〜３４でシート材２６を順次山折りし、貼着部３１を反対側の端部に貼着して、図９に示すように略正三角形の筒状に仕上げる。
【００４４】
この表示体Ａは全体が三角形の筒状であるため、床面その他の適当箇所に配置した場合にも、前後、左右の各方向から何れかの表示部７の所定表示８を確認できる利点がある。また上下に補強部２９，３０があるため、シート材２６を三角形の筒状に山折りして構成していることと相俟ってその強度を十分に確保できる。更に上補強部２９の内周面に飾り表示９があり、その飾り表示９が斜め上方からの視認領域９ａに対応する上下幅となっている、各実施形態と同様に表示体Ａの見栄えも向上する。なお、この実施形態では、視認領域９ａを考慮して上補強部２９の上下幅を下補強部３０よりも大にしている。
【００４５】
図１４〜図１７は本考案の第６の実施形態を例示し、陳列棚３９の通路側端の上部等に配置される売り場表示用の表示体Ａに採用したものである。この表示体Ａは図１４、図１５に示すように、縦長状の前面表示部４０と、前面表示部４０の左右幅の略中央から後方に延びる左右一対の縦長状の側面表示部４１とを備えた平面視略Ｔ字状に構成されている。各表示部４０，４１には、その場所の陳列棚３９に陳列されている商品の種別を示す所定表示８が付されると共に、所定表示８の背景に必要な飾り表示９が付されている。
【００４６】
この表示体Ａに使用するシート材２６には、図１６に示すようにその片面に各表示部４０，４１に対応する箇所に所定表示８が印刷されると共に、上下の山折り線２７，２８を含む上下の補強部２９，３０側に跨がって飾り表示９が付されている。上下の補強部２９，３０は、第４の実施形態と同様に両面粘着テープ、粘着剤等の貼着手段３５，３６を介してシート材２６の裏面に貼着されている。
【００４７】
シート材２６の展開状態では、図１６に示すように、前面表示部４０はシート材２６の左右方向の略中央に、各側面表示部４１はシート材２６の左右両側に夫々配置されている。そして、前面表示部４０と各側面表示部４１との間には、前面表示部４０との間で上下方向の山折り線４２で山折りされ且つ各側面表示部４１との間の上下方向の谷折り線４３で谷折りされた折り返し部４４があり、その各折り返し部４４は前面表示部４０の裏面に両面粘着テープ、粘着剤等の貼着手段４５を介して貼着されている。なお、この実施形態では、貼着手段４５は上下の補強部４の裏面に設けられているが、前面表示部４０の裏側に直接貼着してもよい。
【００４８】
この表示体Ａは、例えば左右一対の側面表示部４１の後端側をクリップで挟む等により、図１４及び図１５に示すように陳列棚３９の所定の箇所に固定して使用する。このような表示体Ａを使用すれば、正面及び左右両側の三方向から表示体Ａの各表示部４０，４１の所定表示８を確認できる利点がある。また前面表示部４０の裏側に左右の折り返し部４４が重なり、その裏側で左右一対の側面表示部４１が左右に重なっているため、平面視略Ｔ字状であるにも拘わらず、表示体Ａの強度を容易に確保できる。その他の効果は第１の実施形態と同様である。
【００４９】
以上、本考案の各実施形態について詳述したが、本考案はこの各実施形態に限定されるものではなく、本考案の趣旨を逸脱しない範囲で種々の変更が可能である。例えば、段ボールは両面段ボール、片面段ボールの何れを使用してもよい。また所定表示８には文字、絵柄その他のもの、又はそれらを組み合わせたものが使用可能である。山折り線、谷折り線は、所定表示、飾り表示の印刷前に入れてもよい。
【００５０】
周壁部３は左右方向、斜め方向に設けることも可能である。そのとき周壁部３の両開口端側の内周面が看者の視認領域９ａに入るならば、両開口端側の視認領域９ａに飾り表示９を施せばよい。また表示体Ａは小売店で使用するものに限定されず、あらゆる場所で使用されるものに応用可能であることは云うまでもない。表示体Ａを筒状に構成する場合、円筒状でもよいし、四角形以上の多角形でもよい。
【符号の説明】
【００５１】
１  第１シート材
２  第２シート材
３  周壁部
４  補強部
６，１１，１５，１６，２１，２５，２７、２８，３２〜３４，４２  山折り線
７  表示部
８，１９  所定表示
９，２０  飾り表示
９ａ  視認領域
４０  前面表示部
４１  側面表示部
４４  折り返し部
【図１】
0003171308.tif 000003
【図２】
0003171308.tif 000004
【図３】
0003171308.tif 000005
【図４】
0003171308.tif 000006
【図５】
0003171308.tif 000007
【図６】
0003171308.tif 000008
【図７】
0003171308.tif 000009
【図８】
0003171308.tif 000010
【図９】
0003171308.tif 000011
【図１０】
0003171308.tif 000012
【図１１】
0003171308.tif 000013
【図１２】
0003171308.tif 000014
【図１３】
0003171308.tif 000015
【図１４】
0003171308.tif 000016
【図１５】
0003171308.tif 000017
【図１６】
0003171308.tif 000018
【図１７】
0003171308.tif 000019
【手続補正書】
【提出日】平成23年7月28日(2011.7.28)
【手続補正１】
【補正対象書類名】実用新案登録請求の範囲
【補正対象項目名】請求項２
【補正方法】変更
【補正の内容】
【請求項２】
１枚の前記シート材を山折り線で山折りして又は複数枚の前記シート材を組み合わせて構成され、且つ少なくとも外周の前面側の前記表示部に前記所定表示が付された、開口端を有する筒状の周壁部を備え、該周壁部の前記開口端側の内周面で且つ陳列棚その他の箇所に配置したときに看者が視認可能な視認領域に、前記所定表示の印刷時に印刷された飾り表示を配置したことを特徴とする請求項１に記載の段ボール製表示体。
【手続補正２】
【補正対象書類名】明細書
【補正対象項目名】０００８
【補正方法】変更
【補正の内容】
【０００８】
１枚の前記シート材を山折り線で山折りして又は複数枚の前記シート材を組み合わせて構成され、且つ少なくとも外周の前面側の前記表示部に前記所定表示が付された、開口端を有する筒状の周壁部を備え、該周壁部の前記開口端側の内周面で且つ陳列棚その他の箇所に配置したときに看者が視認可能な視認領域に、前記所定表示の印刷時に印刷された飾り表示を配置しても良い。